(57)【要約】【課題】照明領域を拡大すると共に、照明光の色度の均一化を図る。【解決手段】導光体Ｔは、光源素子Ｌから出射される光を一方の表面から出射する。光源素子Ｌからの光が側面から入射される導光部３と、導光部３の側方に延出すると共に光源素子Ｌを覆うように設けられ光源素子Ｌからの光が裏面から入射される光散乱部５とを備えている。そして、導光部３及び光散乱部５は、互いに異なる樹脂材料により形成され、光散乱部５は、導光部３から出射する光の色度と光散乱部５から出射する光の色度とを近付けるように色度を補正する色度補正剤を含んでいる。【選択図】図２
2006244825.tif 000002
【特許請求の範囲】
【請求項１】
光源から出射される光を一方の表面から出射する導光体であって、
上記光源からの光が側面から入射される第１部分と、該第１部分の側方に延出すると共に上記光源を覆うように設けられ上記光源からの光が裏面から入射される第２部分とを備え、
上記第１部分及び上記第２部分は、互いに異なる樹脂材料により形成され、
上記第１部分及び上記第２部分の少なくとも一方は、上記第１部分から出射する光の色度と上記第２部分から出射する光の色度とを近付けるように色度を補正する色度補正手段を含んでいる
ことを特徴とする導光体。
【請求項２】
請求項１において、
上記第２部分は、上記光源の光を散乱する光散乱部により構成されている
ことを特徴とする導光体。
【請求項３】
請求項１において、
上記第２部分は、光を散乱させる散乱材を含むポリカーボネート樹脂により構成されている
ことを特徴とする導光体。
【請求項４】
請求項１において、
上記第１部分は、アクリル樹脂により構成されている
ことを特徴とする導光体。
【請求項５】
請求項１において、
上記色度補正手段は、上記第１部分及び上記第２部分の少なくとも一方に添加される色度補正剤である
ことを特徴とする導光体。
【請求項６】
請求項５において、
上記色度補正剤は、顔料である
ことを特徴とする導光体。
【請求項７】
請求項５において、
上記第１部分及び上記第２部分の少なくとも一方には、上記色度補正剤と共に紫外線吸収剤が添加されている
ことを特徴とする導光体。
【請求項８】
請求項３において、
上記第２部分は、青色顔料が添加されている
ことを特徴とする導光体。
【請求項９】
請求項３において、
上記第２部分は、青色顔料及び赤色顔料が添加されている
ことを特徴とする導光体。
【請求項１０】
請求項８において、
上記第２部分は、青色顔料を含む青色ポリカーボネート樹脂と、散乱材を含む白色ポリカーボネート樹脂と、添加剤を含まない透明ポリカーボネート樹脂とが混合して構成され、
上記第２部分に含まれる青色顔料の重量をＢ、上記青色ポリカーボネート樹脂の重量をＣＢ、上記白色ポリカーボネート樹脂の重量をＣＷ、上記透明ポリカーボネート樹脂の重量ＮＣとしたとき、次の関係式、
０．００３４＜Ｂ／（ＣＢ＋ＣＷ＋ＮＣ）＜０．００８５
が成立する
ことを特徴とする導光体。
【請求項１１】
請求項８において、
上記第２部分に含まれる青色顔料の重量をＢ、上記第２部分に含まれる散乱材の重量をＷとしたとき、次の関係式、
０．２３＜Ｂ／Ｗ＜０．７０
が成立する
ことを特徴とする導光体。
【請求項１２】
光源素子と、該光源素子から出射される光を一方の表面から出射する導光体とを備えた照明装置であって、
上記導光体は、上記光源素子からの光が側面から入射される第１部分と、該第１部分の側方に延出すると共に上記光源素子を覆うように設けられ上記光源素子からの光が裏面から入射される第２部分とを備え、
上記第１部分及び上記第２部分は、互いに異なる樹脂材料により形成され、上記第１部分及び上記第２部分の少なくとも一方は、上記第１部分から出射する光の色度と上記第２部分から出射する光の色度とを近付けるように色度を補正する色度補正手段を含んでいる
ことを特徴とする照明装置。
【請求項１３】
液晶表示パネルと、該液晶表示パネルに光を供給する照明装置とを備えた液晶表示装置であって、
上記照明装置は、光源素子と、該光源素子から出射される光を一方の表面から出射する導光体とを備え、
上記導光体は、上記光源素子からの光が側面から入射される第１部分と、該第１部分の側方に延出すると共に上記光源素子を覆うように設けられ上記光源素子からの光が裏面から入射される第２部分とを備え、
上記第１部分及び上記第２部分は、互いに異なる樹脂材料により形成され、上記第１部分及び上記第２部分の少なくとも一方は、上記第１部分から出射する光の色度と上記第２部分から出射する光の色度とを近付けるように色度を補正する色度補正手段を含んでいる
ことを特徴とする液晶表示装置。
【発明の詳細な説明】
【技術分野】
【０００１】
本発明は、液晶表示装置等に好適に用いられる導光体、その導光体を備える照明装置、及びその照明装置を備える液晶表示装置に関する。
【背景技術】
【０００２】
液晶表示装置等に用いられる照明装置として、板状の導光体と、この導光体の側端面に沿って配置された細管状の光源素子（例えば冷陰極管）とを備え、光源素子から導光体の内部に導入された光を導光体の一方の面から出射させるようにしたバックライト装置が一般に知られている。この種のバックライト装置は、光源素子と導光体とが垂直方向（光の出射方向）に重なり合わずに配置されているので、バックライト装置の厚み方向のサイズを小さくすることができる。しかしながら、導光体の側方に光源素子を配置するためのスペースが必要となるため、液晶表示装置において有効表示領域以外にデッドスペースが生じてしまう。これに対し、近年、特に、カーナビゲーション等の車載用液晶表示装置やモバイル端末用の液晶表示装置等においては、有効表示領域の拡大とモジュールのコンパクト化に対するニーズが強まっている。
【０００３】
そこで、本発明者は、以前に、他の発明者と共に、図１３に示すように、導光体１０１を、側面から入射した光源素子１０２の光を表面から出射する導光部１０３と、この導光部１０３の側方に略直角に延出して設けられると共に光源素子１０２を覆う樹脂製の光散乱部１０４とにより構成することを発明した（特許文献１参照）。例えば、光散乱部１０４は、酸化チタン等の散乱材が添加された白色ポリカーボネート樹脂により構成し、導光部１０３は、透明なアクリル樹脂により構成することが好ましい。このことにより、散乱材が添加された樹脂という費用を低減し得る簡単な構成によって、光源素子１０２の配置スペースにまで照明領域を拡大できると共に、照明光の輝度を照明領域の全域に亘って高めつつ均一化することができる。
【特許文献１】特開２０００−２３５８０５号公報
【発明の開示】
【発明が解決しようとする課題】
【０００４】
ところが、本発明者は、鋭意研究を重ねた結果、上記拡大された照明領域に対し、上記発明により輝度の均一化を達成できたものの、色度の均一化については更なる改良の余地があることを見出した。
【０００５】
図１４は、図１３に示す導光体１０１における光散乱部１０４からの出射光と、導光部１０３からの出射光とについて、それぞれの色度を示すＣＩＥ１９３１色度図である。図１４の拡大図である図１５にも示すように、▲印で示す光散乱部１０４の出射光における色度と、◆印で示す導光部１０３の出射光における色度とは、大きくずれていることが分かる。ここで、上記光散乱部１０４（▲印）は、酸化チタンを含む白色ポリカーボネート（白色ＰＣ）により構成されている。一方、上記導光部１０３（◆印）は、アクリル樹脂（ＰＭＭＡ）により構成されている。また、白色ＰＣの色度座標（ｘ，ｙ）は、（０．３２８７，０．３５３５）であり、ＰＭＭＡの色度座標（ｘ，ｙ）は、（０．３０８９，０．３３２８）である。
【０００６】
また、図１６は、光散乱部１０４における出射光のスペクトルと、導光部１０３における出射光のスペクトルとの比較を示す図である。図１６の左側は光散乱部１０４におけるスペクトル１０６を示す一方、図１６の右側は導光部１０３におけるスペクトル１０７を示している。図１６のスペクトルは、緑色（Ｇ）のスペクトル輝度Ｇ１，Ｇ２の大きさを１００％として示している。
【０００７】
この図１６から分かるように、同図左側の光散乱部１０４（白色ＰＣ）における青色（Ｂ）のスペクトル輝度Ｂ１は、同図右側の導光部１０３（ＰＭＭＡ）における青色（Ｂ）のスペクトル輝度Ｂ２よりも低くなっている。一方、同図左側の光散乱部１０４（白色ＰＣ）における赤色（Ｒ）のスペクトル輝度Ｒ１は、同図右側の導光部１０３（ＰＭＭＡ）における赤色（Ｒ）のスペクトル輝度Ｒ２よりも高くなっている。
【０００８】
このように、導光体の第１部分（導光部１０３）と第２部分（光散乱部１０４）とが異なる材料により構成されている場合には、通常、上記第１部分及び第２部分から出射される光の色度が異なってしまうという問題がある。
【０００９】
本発明は、斯かる諸点に鑑みてなされたものであり、その目的とするところは、照明領域を拡大すると共に、照明光の色度の均一化を図ることにある。
【課題を解決するための手段】
【００１０】
上記の目的を達成するために、この発明では、第１部分及び第２部分により構成された導光体が、第１部分及び第２部分における各出射光の色度を互いに近付けるように補正する色度補正手段を含むようにした。
【００１１】
具体的に、本発明に係る導光体は、光源から出射される光を一方の表面から出射する導光体であって、上記光源からの光が側面から入射される第１部分と、該第１部分の側方に延出すると共に上記光源を覆うように設けられ上記光源からの光が裏面から入射される第２部分とを備え、上記第１部分及び上記第２部分は、互いに異なる樹脂材料により形成され、上記第１部分及び上記第２部分の少なくとも一方は、上記第１部分から出射する光の色度と上記第２部分から出射する光の色度とを近付けるように色度を補正する色度補正手段を含んでいる。
【００１２】
上記第２部分は、上記光源の光を散乱する光散乱部により構成されていることが好ましい。
【００１３】
上記第２部分は、光を散乱させる散乱材を含むポリカーボネート樹脂により構成されていてもよい。
【００１４】
上記第１部分は、アクリル樹脂により構成されていることが好ましい。
【００１５】
上記色度補正手段は、上記第１部分及び上記第２部分の少なくとも一方に添加される色度補正剤であってもよい。
【００１６】
上記色度補正剤は、顔料であることが好ましい。
【００１７】
上記第１部分及び上記第２部分の少なくとも一方には、上記色度補正剤と共に紫外線吸収剤が添加されていてもよい。
【００１８】
上記第２部分は、青色顔料が添加されていることが好ましい。
【００１９】
上記第２部分は、青色顔料及び赤色顔料が添加されていてもよい。
【００２０】
上記第２部分は、青色顔料を含む青色ポリカーボネート樹脂と、散乱材を含む白色ポリカーボネート樹脂と、添加剤を含まない透明ポリカーボネート樹脂とが混合して構成され、上記第２部分に含まれる青色顔料の重量をＢ、上記青色ポリカーボネート樹脂の重量をＣＢ、上記白色ポリカーボネート樹脂の重量をＣＷ、上記透明ポリカーボネート樹脂の重量ＮＣとしたとき、次の関係式、０．００３４＜Ｂ／（ＣＢ＋ＣＷ＋ＮＣ）＜０．００８５が成立することが好ましい。
【００２１】
上記第２部分に含まれる青色顔料の重量をＢ、上記第２部分に含まれる散乱材の重量をＷとしたとき、次の関係式、０．２３＜Ｂ／Ｗ＜０．７０が成立することが好ましい。
【００２２】
また、本発明に係る照明装置は、光源素子と、該光源素子から出射される光を一方の表面から出射する導光体とを備えた照明装置であって、上記導光体は、上記光源素子からの光が側面から入射される第１部分と、該第１部分の側方に延出すると共に上記光源素子を覆うように設けられ上記光源素子からの光が裏面から入射される第２部分とを備え、上記第１部分及び上記第２部分は、互いに異なる樹脂材料により形成され、上記第１部分及び上記第２部分の少なくとも一方は、上記第１部分から出射する光の色度と上記第２部分から出射する光の色度とを近付けるように色度を補正する色度補正手段を含んでいる。
【００２３】
また、本発明に係る液晶表示装置は、液晶表示パネルと、該液晶表示パネルに光を供給する照明装置とを備えた液晶表示装置であって、上記照明装置は、光源素子と、該光源素子から出射される光を一方の表面から出射する導光体とを備え、上記導光体は、上記光源素子からの光が側面から入射される第１部分と、該第１部分の側方に延出すると共に上記光源素子を覆うように設けられ上記光源素子からの光が裏面から入射される第２部分とを備え、上記第１部分及び上記第２部分は、互いに異なる樹脂材料により形成され、上記第１部分及び上記第２部分の少なくとも一方は、上記第１部分から出射する光の色度と上記第２部分から出射する光の色度とを近付けるように色度を補正する色度補正手段を含んでいる。
【００２４】
−作用−
次に、本発明の作用について説明する。
【００２５】
本発明に係る導光体によると、光源から出射された光の一部は、導光体の第１部分の側面に入射する。第１部分の側面に入射した光は、第１部分の内部で乱反射した後に、第１部分の表面から出射する。一方、光源から出射された光の他の一部は、導光体の第２部分の裏面に入射して第２部分の表面から出射する。
【００２６】
第１部分及び第２部分の少なくとも一方は、色度補正手段を含んでいるため、第１部分の出射光の色度と、第２部分の出射光の色度とは、上記色度補正手段により互いに近付けられる。その結果、導光体から出射する光は、第１部分及び第２部分が互いに異なる樹脂材料により形成されていても、これら第１部分及び第２部分の全体に亘って色度が均一化し調和されることとなる。
【００２７】
第２部分は、例えば散乱材を含むポリカーボネート樹脂等により形成された光散乱部によって構成することにより、入射した光を散乱させることが可能となる。その結果、第２部分を出射する光の輝度を、例えばアクリル樹脂等により構成された第１部分を出射する光の輝度と同じ大きさにすることができる。すなわち、第１部分及び第２部分を出射する光に対し、輝度及び色度の双方の均一化を図ることが可能となる。
【００２８】
上記色度補正手段は、顔料等の色度補正剤により容易に構成できる。また、色度補正剤を紫外線吸収剤と共に導光体へ添加することにより、光源から発せられる紫外線によるポリカーボネート樹脂の黄変劣化を抑制することが可能となる。また、第１部分がアクリル樹脂であり且つ第２部分がポリカーボネート樹脂である場合には、色度補正のための顔料としては、青色顔料を適用することが好ましく、さらに、青色顔料と共に赤色顔料を適用することが好ましい。
【００２９】
ところで、人間は、光の色度差（ＣＩＥ１９３１色度表示系の色度の差：Δｘ、Δｙ）が約０．０１以上である場合に、その色度の違いを認識することができる。言い換えれば、色度差が０．０１未満である場合には、人間はその色度の違いを認識できない。その結果、第１部分及び第２部分の各出射光の色度の差が０．０１未満であれば、実際上の問題はない。
【００３０】
ここで、上記第２部分に含まれる青色顔料の重量をＢ、上記青色ポリカーボネート樹脂の重量をＣＢ、上記白色ポリカーボネート樹脂の重量をＣＷ、上記透明ポリカーボネート樹脂の重量ＮＣとしたとき、次の関係式、０．００３４＜Ｂ／（ＣＢ＋ＣＷ＋ＮＣ）＜０．００８５が成立する場合には、上記第１部分及び第２部分の各出射光の色度の差が０．０１未満となる。また、上記第２部分に含まれる散乱材の重量をＷとしたとき、次の関係式、０．２３＜Ｂ／Ｗ＜０．７０が成立する場合にも、上記第１部分及び第２部分の各出射光の色度の差が０．０１未満となる。すなわち、これらの各関係式が成立する場合には、第１部分及び第２部分の出射光の色度が近付いて、人間の目には同じ色度であると認識される。
【００３１】
また、本発明に係る照明装置によると、光源素子から出射した光は、上述の構成を有する導光体に入射し、第１部分及び第２部分の双方の表面から出射し、且つ色度が均一に補正された光によって照明が行われる。
【００３２】
また、本発明に係る液晶表示装置によると、上述の構成を有する照明装置から出射された照明光が液晶表示パネルに供給される。そして、照明光が液晶表示パネルによって変調される結果、所望の表示が行われる。
【発明の効果】
【００３３】
本発明によれば、第２部分を光源を覆うように設けたので、第２部分において照明領域を拡大することができると共に、第１部分及び第２部分の少なくとも一方が色度補正手段を含むようにしたので、第１部分の出射光の色度と、第２部分の出射光の色度とを近付けることができる。その結果、導光体の第１部分及び第２部分から出射する照明光について、その照明領域の全体に亘って色度を均一化することができる。
【発明を実施するための最良の形態】
【００３４】
以下、本発明の実施形態を図面に基づいて詳細に説明する。尚、本発明は、以下の実施形態に限定されるものではない。
【００３５】
《発明の実施形態１》
図１〜図４は、本発明の実施形態１を示している。図１は、本発明に係る導光体Ｔを備えた照明装置であるバックライト装置１の平面図であり、図２は、図１におけるII−II線断面図である。また、図３は、上記バックライト装置１を備えた液晶表示装置２０を示す側断面図であり、図４は、図２の要部拡大図である。
【００３６】
図２に示すように、バックライト装置１は、光源である光源素子Ｌと、光源素子Ｌから出射される光を一方の表面２（上部表面）から出射する導光体Ｔとを備えている。光源素子Ｌとしては、極細冷陰極管を適用できる。
【００３７】
上記導光体Ｔは、第１部分である導光部３と、第２部分である光散乱部５とにより構成されている。導光部３は、透明樹脂により平板状に形成され、光源素子Ｌからの光が側面４から入射されると共に、その光を上部表面２から均一に出射するように構成されている。上記光源素子Ｌは、図１及び図２に示すように、導光部３の側面４に沿って配置されている。
【００３８】
光散乱部５は、導光部３の側方に延出すると共に、上部表面２からの光の出射方向（上部表面２の法線方向）に光源素子Ｌを覆うように設けられ、略板状に形成されている。光散乱部５は、導光部３の側面４から略直角に延出している。側面４からの光散乱部５の延出長さは４ｍｍ程度で有ることが好ましい。
【００３９】
光散乱部５の上部表面２ａは、上記導光部３の上部表面２に連続する同じ平面を構成している。また、光散乱部５は、入射した光を散乱させる光の散乱材を含有する樹脂により形成されている。こうして、光散乱部５は、その裏面４ａから入射された光源素子Ｌの光を、散乱させた状態で上部表面２ａから出射させるようになっている。
【００４０】
なお、略直角とは約８５度〜約９０度の範囲を指し、側面４と光散乱部５が形成するコーナーの角度がこの範囲であれば光散乱部５に入射する光の進路に与える影響が少ない。また、バックライト装置１は、導光部３及び光散乱部５を樹脂材を金型に対して射出成型することによって形成するが、射出成形後に金型から導光体Ｔを抜き出しやすくするために、側面４と光散乱部５とが形成するコーナーの角度が、約８５度〜約８８度の範囲であることが望ましい。
【００４１】
また、バックライト装置１は、必要に応じて、光源素子Ｌからの光が射出する導光体Ｔの上面側に配置され、光を拡散する拡散シート１１，１２及び、これら拡散シート１１、１２の間に介装されるプリズムシート１３を備える（図３参照）。さらに、必要に応じて、光源素子Ｌ及び導光体Ｔの上面以外の部分を覆う反射シート１４を備えている。
【００４２】
拡散シート１１，１２としては、厚さが約１３０μｍのＰＥＴ（ポリエチレンテレフタレート）製のシートの両面に拡散粒子コーティングを施したものが好ましい。プリズムシート１３の厚さは約１７０μｍで、頂角が９０度であることが望ましい。反射シート１４としては、厚さが約１８８μｍで発泡ＰＥＴにより形成されたものが好ましい。
【００４３】
液晶表示装置２０は、上記バックライト装置１と、バックライト装置１により光が供給される液晶表示パネル１５を備えている。
【００４４】
また、液晶表示装置２０は、光源素子Ｌ及び導光体Ｔの上面以外の部分を反射シート１４と共に収容するケーシング１６と、ケーシング１６の外側に設けられたフレーム１７と、フレーム１７の外側にさらに設けられた上ベゼル１８とを備えている。フレーム１７は、液晶表示パネル１５、拡散シート１１，１２、プリズムシート１３及びバックライト装置１を保持するように構成されている。
【００４５】
ケーシング１６は、厚さが約０．７ｍｍのアルミ製であることが好ましい。フレーム１７は導電性樹脂製である一方、上ベゼル１８はステンレス製であることが好ましい。
【００４６】
次に、導光体Ｔの構成について詳細に説明する。
【００４７】
導光体Ｔの導光部３と光散乱部５とは互いに異なる樹脂材料により形成されている。すなわち、導光部３の樹脂材料にはアクリル樹脂を適用すると共に、光散乱部５の樹脂材料にはポリカーボネート樹脂を適用することが好ましい。
【００４８】
例えば、導光部３のアクリル樹脂としては、旭化成株式会社製のデルペット８０Ｎ導光体グレードを用いる。一方、光散乱部５には、ポリカーボネートに散乱材としてパウダー状の酸化チタンを添加した三菱エンジニアリングプラスチック製のユーピロン（Ｒ）ＨＰＲ３０００又はＨＰＲ３５００の非ハロゲン難燃反射グレード（以下、「反射グレード」とも呼ぶ）と、三菱エンジニアリングプラスチック製のユーピロン（Ｒ）のクリアグレード（以下、単に「クリアグレード」とも呼ぶ）との混合物である混合ポリカーボネートを用いる。
【００４９】
光散乱部５の樹脂材として反射グレードとクリアグレードとが混合された混合ポリカーボネートを用いるのは、樹脂形成のために必要な構造的厚み制限と、樹脂材の光散乱部５としての全光線透過性の確保との２つの対立条件に折り合いを付けるためである。
【００５０】
反射グレード内に散乱材として含有される酸化チタンの量は、材料メーカ側で決められていて一定であるため、反射グレードにクリアグレードを混合して光散乱部５を形成する樹脂材に含まれる酸化チタンの含有率を調整することが好ましい。
【００５１】
本発明者は、以前に、反射グレードとクリアグレードの混合割合を変化させて実験した結果、反射グレードとクリアグレードとを混合させて作成されるポリカーボネートに、酸化チタンの量が重量比で約３．５％含まれるときに、最もよい導光部３全体の輝度の均一性が得られることを確認した。重量比で約３．５％の酸化チタンを含む混合ポリカーボネートで構成された光散乱部５は、厚さが０．５５ｍｍであるときに全光透過率が約１０％である。
【００５２】
最適な酸化チタンの含有量は上述のように重量比で約３．５％であるが、液晶表示装置の表示品質として許容できる結果が得られるのは、酸化チタンの含有量が重量比で約２％から約５％までの範囲である。散乱材としての酸化チタンの含有量が２％以下であると光散乱部５から導光部３への透過光が強くて光源素子Ｌの周辺が明るくなり過ぎる。その結果、輝線が発生する。逆に、酸化チタンの含有量が５％以上であると光散乱部５から導光部３への透過光が弱くて光源素子Ｌの周辺が暗くなり過ぎるため、黒線が発生する。
【００５３】
また、光散乱部５を構成する混合ポリカーボネートは、導光部３を構成するクリアアクリル材よりも荷重たわみ温度が約３０度高く、耐熱温度もクリアアクリル材が約９０度であるのに対し、混合ポリカーボネートは１２０度であって耐熱性にも優れている。このため、光源素子Ｌが発する熱により導光体Ｔが高温になっても混合ポリカーボネートが熱により変形することがないので構造的にも光学的にも性能を維持できる。
【００５４】
ここで、導光体Ｔの導光部３と光散乱部５との接続部分の構造について説明する。
【００５５】
図４に示すように、導光部３には、側方に延出する支持部６が一体に形成されている。支持部６の下側には、導光部３の端辺に沿って延びる断面コ字状の溝３ａが形成されている。一方、光散乱部５の側端部５ａは断面段差状に形成されている。そして、光散乱部５は、側端部５ａが溝３ａに係合した状態で導光部３に接続されると共に、支持部６により支持されている。このことにより、構造上の安定が図られる。
【００５６】
なお、上記接続部分は、上述の構造に限定されない。例えば、図５に示すように、支持部６が光散乱部５の上部表面２ａを全て覆うような構造としてもよい。すなわち、この構造では、支持部６において、導光部３と光散乱部５とが広い面積で接触することにより、さらなる構造上の安定が得られる。
【００５７】
そして、本発明の特徴として、光散乱部５には、導光部３から出射する光の色度と光散乱部５から出射する光の色度とを近付けるように色度を補正する色度補正手段を含んでいる。上記色度補正手段は、例えば、光散乱部５に添加される色度補正剤である。
【００５８】
上記色度補正剤には、顔料（有機顔料や無機顔料）を適用することが好ましい。本実施形態では、導光部３がアクリル樹脂により構成される一方、光散乱部５が酸化チタンを含むポリカーボネート樹脂により構成されているため、上記顔料は青色顔料とすることが望ましい。また、光散乱部５には、上記青色顔料と共に紫外線吸収剤が添加されている。
【００５９】
青色顔料としては、例えば、Ｎａ2Ａｌ6Ｓｉ6Ｏ2４Ｓ4（瑠璃：ウルトラマリン）、ＣｏＯ・ｎＡｌ2Ｏ3（アルミン酸コバルト：コバルトブルー）、ＣｏＯ・ｎＳｎＯ2（錫酸コバルト：セルリアンブルー）、ＫＦｅ2（ＣＮ6）（プルシアンブルー）、ＣｕＡｌ6（ＰＯ4）４（ＯＨ）8４Ｈ2Ｏ（トルコ石：ターコイズブルー）、ＢａＭｎＯ4ＢａＳＯ4（マンガン酸バリウム硫酸バリウム：マンガニーズブルー）、及びフタロシアニンブルー等を適用することが可能である。
【００６０】
また、上記光散乱部５には、青色顔料だけでなく赤色顔料も添加するようにしてもよい。このことにより、光散乱部５の出射光の色度を、さらに、導光部３の出射光の色度に近付けることが可能となる。
【００６１】
−製造方法−
次に、導光体Ｔの製造方法を以下に説明する。
【００６２】
まず、金型の内部に溶融したポリカーボネート樹脂を導入し、光散乱部５を射出成形する。続いて、光散乱部５が形成されている上記金型の内部に対し、溶融したアクリル樹脂を導入することにより、導光部３を射出成形する。このことにより、導光部３は、金型の内部で光散乱部５に連続して一体に形成される。つまり、導光部３は、上記光散乱部５に接続される。なお、導光部３を光散乱部５の形成前に作成するようにしてもよい。
【００６３】
このように、２色射出成形法によって形成された上記導光体Ｔは、従来の射出成形技術の範囲内で行えるため、製品の寸法や光学特性が長期にわたり保たれ、量産時の不安定性は解消される。
【００６４】
また、２色射出成形法によって形成された上記導光体Ｔは、光源素子Ｌを覆う第２部分の光量を調節するフィルタ手段を作成するためのドット印刷装置や消耗費、製品検査費、真空蒸着装置及び蒸着用治具等を必要とせず、光量調整フィルタ手段を導光体の所定の位置に配置するための組立費や仕掛損及び検査費などが必要ないので大幅にコストを低減することができる。
【００６５】
上記導光体Ｔは、単色導光体の作製に対し、光散乱部５の作製のための専用の金型費、散乱材入り樹脂注入シリンダー設備、及び散乱材入り樹脂材料費がコストの増加要因として考えられる。しかし、一般の２色射出成形装置は、しばしば樹脂注入シリンダーがマルチ構造を有しており、実際には、散乱材樹脂注入専用シリンダー設備を別途作製する必要がない。さらに、散乱材入り樹脂は広く一般に用いられている典型的な材料であって、非常に安価で、材料によってはむしろ透明樹脂よりも安価である。したがって、散乱材入り樹脂材料を用いることによるコストアップも極めて微細である。
【００６６】
ここで、上記光散乱部５を製造する場合には、例えば、青色顔料を含む青色ポリカーボネート樹脂と、散乱材を含む白色ポリカーボネート樹脂と、添加剤を含まない透明ポリカーボネート樹脂とを混合すると共に、紫外線吸収剤を添加する。
【００６７】
このとき、光散乱部５に含まれる青色顔料の重量をＢ、上記青色ポリカーボネート樹脂の重量をＣＢ、上記白色ポリカーボネート樹脂の重量をＣＷ、上記透明ポリカーボネート樹脂の重量ＮＣとしたとき、次の関係式、
０．００３４＜Ｂ／（ＣＢ＋ＣＷ＋ＮＣ）＜０．００８５  ・・・・（1）
が成立することが好ましい。
【００６８】
すなわち、人間は、光の色度差（ＣＩＥ１９３１色度表示系の色度の差：Δｘ、Δｙ）が約０．０１以上である場合に、その色度の違いを認識することができる。これに対し、上記式（1）が成立せず、Ｂ／（ＣＢ＋ＣＷ＋ＮＣ）≦０．００３４である場合、又は０．００８５≦Ｂ／（ＣＢ＋ＣＷ＋ＮＣ）である場合には、導光部３及び光散乱部５の各出射光の色度差が、０．０１以上となるため、その色度の違いが人間の目に認識され、表示品位の低さとして感じられてしまう。そこで、上記式（1）が成立するように、上記各数量Ｂ，ＣＢ，ＣＷ，ＮＣを規定することによって、導光部３及び光散乱部５の各出射光の色度の差を０．０１未満にすることができるため、人間の目に均一な色度として認識させることができる。
【００６９】
例えば、Ｂ＝０．０９、ＣＢ＝３、ＣＷ＝１３、ＮＣ＝１０であるとき、Ｂ／（ＣＢ＋ＣＷ＋ＮＣ）は約０．００３４６となる。一方、Ｂ＝０．２７、ＣＢ＝９、ＣＷ＝１３、ＮＣ＝１０であるとき、Ｂ／（ＣＢ＋ＣＷ＋ＮＣ）は約０．００８４４となる。したがって、これらの場合には、上記式（1）が成立する。
【００７０】
また、光散乱部５に含まれる散乱材の重量をＷとしたとき、次の関係式、
０．２３＜Ｂ／Ｗ＜０．７０                            ・・・・（2）
が成立することが好ましい。
【００７１】
すなわち、上記式（2）が成立せず、Ｂ／Ｗ≦０．２３である場合、又は０．７０≦Ｂ／Ｗである場合には、導光部３及び光散乱部５の各出射光の色度差が、０．０１以上となって、その色度の違いが人間の目に認識されてしまう。これに対し、上記式（2）が成立するように、各数量Ｂ，Ｗを規定することによって、上記式（1）が成立する場合と同様に、導光部３及び光散乱部５の各出射光の色度の差を０．０１未満にすることができ、人間の目に均一な色度として認識させることができる。
【００７２】
例えば、Ｂ＝０．０９、Ｗ＝０．３９であるとき、Ｂ／Ｗは約０．２３１となる。一方、Ｂ＝０．２７、Ｗ＝０．３９であるとき、Ｂ／Ｗは約０．００６９２となる。したがって、これらの場合には、上記式（2）が成立する。
【００７３】
次に、バックライト装置１を製造する場合には、上記導光体Ｔの側面４に沿って光源素子Ｌを装着し、反射シート１４と共にケーシング１６の内部に収容する。続いて、導光体Ｔの上側に拡散シート１１、プリズムシート１３及び拡散シート１２をこの順に積層する。さらに、液晶表示装置２０を製造する場合には、その後、上記導光体Ｔに対してフレーム１７を上方から装着する。このことにより、拡散シート１１，１２及びプリズムシート１３は、フレーム１７と導光体Ｔとの間で狭持される。その後、フレーム１７の上に液晶表示パネル１５を載置した状態で上ベゼル１８を上方から装着することによって、液晶表示装置２０を製造する。
【００７４】
なお、液晶表示パネル１５については、公知の方法により別途製造しておく。すなわち、図示は省略するが、アクティブマトリクス基板とカラーフィルタ基板とをスペーサを介して貼り合わせ、その各基板間に形成された隙間に液晶材料を注入して液晶層を形成することにより、液晶表示パネル１５を製造する。
【００７５】
−実施形態１の効果−
したがって、この実施形態１によると、まず、光源素子Ｌを覆うように光散乱部５を設けたので、光散乱部５において照明領域を拡大することができる。光散乱部５では、光源素子Ｌから直接に入射した光を散乱材により散乱して出射させることができるため、光源素子Ｌの光を減衰させることなく高輝度の照明光を出射させることができる。つまり、照明領域を拡大できると共に、照明光の輝度を高めつつ均一化することができる。
【００７６】
そのことに加え、ポリカーボネート樹脂により構成された光散乱部５が、色度補正手段である例えば青色顔料を含むようにしたので、この光散乱部５の出射光の色度を、アクリル樹脂により構成された導光部３の出射光の色度に近付けることができる。
【００７７】
その結果、本実施形態によると、光源素子Ｌの配置スペースを利用して照明領域を拡大できることに加え、その照明領域の全体に亘って、照明光の輝度を高めつつ均一化できると共に照明光の色度の均一化を図ることができる。
【００７８】
さらに、光散乱部５を上述のように散乱材を含有する樹脂材料によって形成するようにしたので、量産性を高めて、導光体Ｔ、バックライト装置１及び液晶表示装置２０の製造コストの低減を図ることができる。
【００７９】
また、この導光体Ｔ及びバックライト装置１を液晶表示装置２０に適用することにより、装置全体の大きさに対する表示領域の面積を拡大できると共に、表示品位を高めることができる。
【００８０】
＜実施例＞
次に、本発明を具体的に実施した実施例について説明する。
【００８１】
以下において、実施例は、上記実施形態の構成を有する導光体Ｔであって、上記式（1）及び式（2）が成立するように規定されている。一方、比較例は、導光体Ｔの光散乱部５が、散乱材である酸化チタンのみが添加されたポリカーボネート樹脂により構成されている。
【００８２】
表１は、青色顔料を含む青色ポリカーボネート樹脂の重量部ＣＢ、添加剤を含まない透明ポリカーボネート樹脂の重量部ＮＣ、酸化チタンを含む白色ポリカーボネート樹脂の重量部ＣＷ、及びＣＢ／（ＮＣ＋ＣＷ）の各値を示している。
【００８３】
【表１】
2006244825.tif 000003
【００８４】
すなわち、実施例には、ＣＢ：ＮＣ：ＣＷの重量比が３：１０：１３となるように、青色ポリカーボネート樹脂、透明ポリカーボネート樹脂、及び白色ポリカーボネート樹脂が混合されている。したがって、ＣＢ／（ＮＣ＋ＣＷ）＝０．１３となっている。また、青色顔料の重量部Ｂが０．０９であり、酸化チタンの重量部Ｗの重量部Ｗが０．３９であるため、Ｂ／（ＣＢ＋ＣＷ＋ＮＣ）＝０．００３４６、Ｂ／Ｗ＝０．２３１となっている。
【００８５】
一方、比較例には、ＮＣ：ＣＷの重量比が１：１となるように、透明ポリカーボネート樹脂及び白色ポリカーボネート樹脂が混合されている。したがって、ＣＢ／（ＮＣ＋ＣＷ）＝０である。また、Ｂ＝０であるので、Ｂ／（ＣＢ＋ＣＷ＋ＮＣ）＝０、Ｂ／Ｗ＝０となっている。
【００８６】
次に、紫外線吸収剤（ＵＶＡ）が光散乱部５に添加されている実施例と、紫外線吸収剤が添加されていない比較例とについて、説明する。
【００８７】
表２は、実施例及び比較例に対し、岩崎電気社製のアイスーパーＵＶテスターＦ−１型によるＵＶ暴露試験を行った結果を示している。試験は、環境温度が６５℃であり、１７時間連続してＵＶを照射するようにした。
【００８８】
【表２】
2006244825.tif 000004
【００８９】
表２に示すように、紫外線を受けていない試験前に対し、試験後の比較例は、色度ｘが０．３１０７から０．３５６９へと約１２．８％増加し、色度ｙが０．３２６２から０．３６５１へと約１１．９％増加している。
【００９０】
これに対して、試験後の実施例は、色度ｘが０．３１０７から０．３１１２へと約０．１６％の増加にとどまり、色度ｙが０．３２６２から０．３２７９へと約０．５２％の増加にとどまっている。このことから、実施例のように紫外線吸収剤を添加することにより、使用に伴う色度の変化を好適に抑制できることを確認できた。
【００９１】
また、表３は、導光部３と、光散乱部５の実施例及び比較例とにおける出射光の光学特性を示している。各光学特性は、導光体Ｔを有するノーマリホワイトの液晶表示装置において、液晶層へ電圧を印加しない状態（つまり白表示）で計測した。また、分光放射計にはＴＯＰＣＯＮ社製のＳＲ−２を使用し、色彩色度計にはＴＯＰＣＯＮ社製のＢＭ７を使用した。さらに、ＤＣ安定化電源にはＫＥＮＷＯＯＤ社製のＰＤＳ３６−１０を使用すると共に、交流電流計にはＹＯＫＯＧＡＷＡ社製のＭｏｄｅｌ Ｎｏ．２０１６を使用した。
【００９２】
【表３】
2006244825.tif 000005
【００９３】
表３において、ｘ、ｙは、ＣＩＥ１９３１表示系の色度を示し、Ｘ、Ｚは表示系の刺激値を示している。また、ｕ′、ｖ′は、ＣＩＥ１９７６ＵＣＳ表示系の色度を示している。さらに、Ｔｃは色温度を示している。
【００９４】
図６は、上記ＣＢ／（ＮＣ＋ＣＷ）と、出射光の輝度との関係を示している。
【００９５】
以降の各図において、◆印は、導光部３（つまり、アクリル樹脂：ＰＭＭＡ）の出射光のデータを示している。また、■印は、実施例における光散乱部５の出射光のデータを示している。さらに、▲印は、比較例における光散乱部の出射光のデータを示している。
【００９６】
図６から分かるように、実施例における光散乱部５の出射光の輝度（４７７．０ｃｄ／ｍ2）は、比較例における光散乱部の出射光の輝度（４９７．７ｃｄ／ｍ2）よりも、導光部３（ＰＭＭＡ）における輝度（４５３．３ｃｄ／ｍ2）に近い大きさとなっている。実施例の輝度と導光部３（ＰＭＭＡ）とにおける輝度の差は、僅かに２３．７ｃｄ／ｍ2であり、出射光の輝度の均一化が図られていることが分かる。
【００９７】
図７はＣＩＥ１９３１色度図であり、図８は図７の拡大図である。また、図９はＣＩＥ１９７６ＵＣＳ色度図であり、図１０は図９の拡大図である。図７〜図１０から分かるように、各色度図において、実施例の色度は、比較例の色度よりも導光部３（ＰＭＭＡ）における出射光の色度に近付いていることがわかる。
【００９８】
また、図７〜図８及び表３に示すように、比較例では、導光部３（ＰＭＭＡ）との色度ｘの色度差Δｘが０．０１４４であり、色度ｙの色度差Δｙが０．０１２０であって、色度差Δｘ，Δｙが、ともに、人間の目により識別可能な０．０１以上の値になっている。これに対し、実施例では、導光部３（ＰＭＭＡ）との色度ｘの色度差Δｘが０．００８８であり、色度ｙの色度差Δｙが０．００３２であって、色度差Δｘ，Δｙが、ともに、人間の目に識別できない０．０１未満の値となっていることが分かる。
【００９９】
また、表３に示されるように、実施例における出射光の色温度は６１４３Ｋであって、比較例の色温度（５８３９Ｋ）よりも導光部３（ＰＭＭＡ）における出射光の色温度（６６４０Ｋ）に近付いていることが分かる。さらに、実施例の色度における各刺激値のバランスも、比較例よりも導光部３（ＰＭＭＡ）のものに近くなっている。
【０１００】
以上のことから、上記実施例は、光散乱部５と導光部３とで輝度を均一化できると共に色度をも均一化することができることが分かる。さらに、色温度についても均一化することが可能となることが確認できる。
【０１０１】
《発明の実施形態２》
図１１及び図１２は、本発明の実施形態２を示している。尚、以降の各実施形態では、図１〜図５と同じ部分については同じ符号を付して、その詳細な説明を省略する。
【０１０２】
上記実施形態１では、色度補正手段である顔料を光散乱部５に添加するようにしたのに対し、本実施形態では、色度補正手段３１を光散乱部５の表面に設けるようにしている。
【０１０３】
すなわち、図１１に模式的に示すように、光散乱部５の裏面には色度補正手段である着色フィルム３１が貼り付けられている。上記着色フィルム３１は、上記実施形態１と同様に、光散乱部５がポリカーボネート樹脂からなると共に導光部３がアクリル樹脂からなる場合には、青色系の着色フィルムであることが望ましい。
【０１０４】
また、図１２に模式的に示すように、光散乱部５の表面に色度補正手段であるカラー印刷部３２を形成してもよい。カラー印刷部３２は、公知の印刷法により形成することが可能である。また、カラー印刷部３２は、上記実施形態１と同様に、光散乱部５がポリカーボネート樹脂からなると共に導光部３がアクリル樹脂からなる場合には、青色系のカラー印刷により形成されることが望ましい。
【０１０５】
これらの構成によっても、光散乱部５の出射光の色度と、導光部３の出射光の色度とを近付けることができるため、照明領域の全体に亘って照明光の色度の均一化を図ることができる。
【０１０６】
《発明の実施形態３》
上記実施形態１では、光散乱部５が色度補正手段を含んでいたのに対し、本実施形態では、導光部３が色度補正手段を含んでいる。すなわち、本実施形態のバックライト装置１は、図２に示される実施形態と同様の構成を有し、光散乱部５と導光部３とは互いに異なる樹脂材料により構成されている。そして、導光部３に色度補正手段である顔料等の色度補正剤が添加されている。
【０１０７】
このことによっても、上記実施形態１と同様に、光散乱部５の出射光の色度と、導光部３の出射光の色度とを近付けることができるため、照明光の色度の均一化を図ることが可能となる。
【０１０８】
例えば、導光部３がアクリル樹脂により構成される一方、光散乱部５がポリカーボネート樹脂により構成される場合には、アクリル樹脂に黄色系の顔料等を添加すると共に光源素子Ｌの出射光の色度を青色系に調整することが可能である。
【０１０９】
なお、本発明は、色度補正手段を導光部３及び光散乱部５の少なくとも一方が、色度補正手段である顔料等の色度補正剤を含むようにすればよい。この場合、導光部３及び導光部３の少なくとも一方には、上記色度補正剤と共に紫外線吸収剤が添加されていることが好ましい。
【０１１０】
《その他の実施形態》
上記実施形態１では、導光体Ｔの導光部３及び光散乱部５を、それぞれアクリル樹脂及びポリカーボネート樹脂により形成したが、本発明はこれに限らず他の樹脂により構成してもよい。例えば、メタクリル樹脂、ポリスチレン樹脂、ポリオレフィン樹脂、ポリエステル樹脂、透明フッ素樹脂、透明ポリイミド樹脂、及び透明ポリアミドイミド樹脂等により形成することが可能である。また、商品として市販されているものとしては、三井化学株式会社のＡＰＯ（アモルファスポリオレフィン）であるアペル（Ｒ）、日本ゼオン株式会社のＺＥＯＮＥＸ（Ｒ）、日本合成ゴム株式会社のＡＲＴＯＮ（Ｒ）等を適用することも可能である。
【産業上の利用可能性】
【０１１１】
以上説明したように、液晶表示装置等に好適に用いられる導光体、その導光体を備える照明装置、及びその照明装置を備える液晶表示装置について有用であり、特に、照明領域を拡大すると共に、照明光の色度の均一化を図る場合に適している。
【図面の簡単な説明】
【０１１２】
【図１】導光体及びバックライト装置を示す平面図である。
【図２】図１におけるII−II線断面図である。
【図３】液晶表示装置の構造を示す側断面図である。
【図４】図２の要部を拡大して示す断面図である。
【図５】導光体の他の構成を拡大して示す断面図である。
【図６】ＣＢ／（ＮＣ＋ＣＷ）と輝度との関係を示すグラフ図である。
【図７】実施例、比較例及びＰＭＭＡにおける出射光の色度を示すＣＩＥ１９３１色度図である。
【図８】図７の要部を拡大して示すグラフ図である。
【図９】実施例、比較例及びＰＭＭＡにおける出射光の色度を示すＣＩＥ１９７６ＵＣＳ色度図である。
【図１０】図９の要部を拡大して示すグラフ図である。
【図１１】実施形態２の導光体を模式的に示す側断面図である。
【図１２】実施形態２の導光体を模式的に示す側断面図である。
【図１３】従来の導光体の構成を示す側断面図である。
【図１４】従来の光散乱部及び導光部における出射光の色度を示すＣＩＥ１９３１色度図である。
【図１５】図１４の要部を拡大して示すグラフ図である。
【図１６】光散乱部及び導光部における出射光のスペクトルを示すグラフ図である。
【符号の説明】
【０１１３】
Ｔ      導光体
Ｌ      光源素子（光源）
１      バックライト装置（照明装置）
２      上部表面
３      導光部（第１部分）
４      側面
４ａ    裏面
５      光散乱部（第２部分）
１５      液晶表示パネル
２０      液晶表示装置
３１      着色フィルム
３２      カラー印刷部
【図１】
2006244825.tif 000006
【図２】
2006244825.tif 000007
【図３】
2006244825.tif 000008
【図４】
2006244825.tif 000009
【図５】
2006244825.tif 000010
【図６】
2006244825.tif 000011
【図７】
2006244825.tif 000012
【図８】
2006244825.tif 000013
【図９】
2006244825.tif 000014
【図１０】
2006244825.tif 000015
【図１１】
2006244825.tif 000016
【図１２】
2006244825.tif 000017
【図１３】
2006244825.tif 000018
【図１４】
2006244825.tif 000019
【図１５】
2006244825.tif 000020
【図１６】
2006244825.tif 000021